(57)【要約】【課題】従来の架空絶縁配電線の引留構造は、絶縁電線の被覆を剥離して電線導体部を露出させて該個所を把持する方式であり、施工が面倒、剥離個所から絶縁電線内部への雨水の浸入、電線導体部の腐食などの問題があり、また楔型引留めクランプ取付け部は充電部を形成して人体に対し危険なため、引留め部に絶縁カバーが必要であるが、内部の劣化状況が確認できず、メンテナンスが困難化する問題があった。【解決手段】架空絶縁配電線の引留め部において、引留めクランプを取付ける個所の絶縁電線の被覆を剥離することなく、前記絶縁電線の外周に予め螺旋状に成型されたプレフォームドアーマーロッド(ＰＡＲ)１１を巻付け、前記ＰＡＲ上に楔型引留めクランプ１０を取付けて碍子装置１４などに連結して引留柱１５などに引留め、簡易な絶縁カバーを取付けると共に、ＰＡＲの先端部に水切り笠を設け、施工性および経済性に優れた架空絶縁配電線の引留構造とした。【選択図】  図１
2007282428.tif 000002
【特許請求の範囲】
【請求項１】
架空絶縁電線を楔型引留クランプによって支持物に引き留める引留め部において、
前記絶縁電線の外周に予め螺旋状に成型されたプレフォームドアーマーロッドを巻回し、前記プレフォームドアーマーロッド上に前記楔型引留クランプを取り付けて前記支持物に引き留めると共に、前記引留め部を構成する金属露出部分全体を絶縁カバーで覆ったことを特徴とする架空絶縁電線の引留構造。
【請求項２】
請求項１記載の架空絶縁電線の引留構造において、
前記絶縁電線の外周に巻回される前記プレフォームドアーマーロッドは、２〜４ｍｍの亜鉛めっき鋼線またはアルミ覆鋼線からなり、且つ、前記楔形引留クランプの楔部長さと同等以上の長さに形成したことを特徴とする架空絶縁電線の引留構造。
【請求項３】
請求項１または２記載の架空絶縁電線の引留構造において、
前記絶縁電線の外周に巻回される前記プレフォームドアーマーロッドの取付け個所に、前記プレフォームドアーマーロッドと同等以上の長さの絶縁体を介在させたことを特徴とする架空絶縁電線の引留構造。
【請求項４】
請求項１〜３いずれかに記載の架空絶縁電線の引留構造において、
前記プレフォームドアーマーロッドの端部に接して水切り笠を備えたことを特徴とする架空絶縁電線の引留構造。
【請求項５】
請求項４記載の架空絶縁電線の引留構造において、
前記水切り笠として、前記絶縁カバーと一体的に設けてなる水切り笠付き絶縁カバーを引留め部に被着したことを特徴とする架空絶縁電線の引留構造。
【請求項６】
請求項１記載の架空絶縁電線の引留構造において、
前記絶縁カバーの全部または一部を透明な絶縁性樹脂または強化ガラスで構成したことを特徴とする架空絶縁電線の引留構造。
【発明の詳細な説明】
【技術分野】
【０００１】
本発明は、架空絶縁電線(配電線)における引留構造に関し、特に、楔型引留めクランプで架設(架線)される架空絶縁電線を引留める際に、絶縁電線の絶縁被覆などの剥離が不要となる架空絶縁電線の引留構造に関するものである。
【背景技術】
【０００２】
従来公知の技術として、例えば、特許文献１などに示される「楔型引留めクランプ電線引留構造」、および特許文献２の「被覆電線の引留用グリップ」などがある。特許文献１の楔形楔型引留めクランプおよびこれを用いた電線引留構造では、把持した電線のクランプ口元近傍に大きな応力が発生することがなく、また電線素線に笑いが生じる恐れもない楔型引留めクランプが開示されている。即ち、碍子を介して支持物に連結されるくさびと、このくさびに前記碍子側から嵌合してくさびとの間で電線を把持するクランプ本体とからなるくさび形引留めクランプにおいて、当該くさび形引留めクランプの電線挿通方向ａを電線引留め方向ｂに対して電線角度θを１０°〜４０°の範囲に設定したものである。
【０００３】
特許文献２の被覆電線の引留用グリップは、個々の被覆素線が、断面円形の強靱な金属線にそれぞれ独立に断面略半長円形のゴム又はプラスチック被覆を設けた被覆素線であって、該被覆素線のゴム又はプラスチック被覆は該被覆素線の複数条を分離した状態で組み合わせたときに、内面が引留められる被覆電線の外周に合致する共通の円弧面が付されており、かつ、該被覆素線の複数条の組み合わせ体は、二つ折り状に折曲げられた中間部と、開放螺旋状にねじられて曲成されている両脚部とからなり、少なくとも両脚部の端部は、前記被覆素線の複数条の組み合わせ体をゴム又はプラスチックモールドキャップで一体に包被接合してなる、被覆電線の引留用グリップである。
【０００４】
【特許文献１】特開２００３−２２４９２３号公報
【特許文献２】特許第２９４３０５８号公報
【発明の開示】
【発明が解決しようとする課題】
【０００５】
上述した特許文献の開示技術では、次のような問題点がある。
特許文献１の開示技術では、
１）同文献の図３に示すように、楔型引留めクランプで絶縁電線を引留める場合、絶縁電線の被覆を剥離して電線導体部を露出させて該個所を把持する方式となっており、施工が面倒であるばかりでなく、該剥離個所から絶縁電線内部に雨水などが浸入して電線導体部を腐食させるなどの問題があった。
２）さらに、楔型引留めクランプ取付け部は充電部を形成し人体に対し危険であり、カラスや蛇などによる地絡事故等をしばしば引き起こすという問題があった。このため充電部を形成する金属露出部全体を覆う絶縁カバーを設置する必要があり、特に前記絶縁被覆剥離個所から電線内部に雨水などが浸入しないようにするため、防水構造の絶縁カバーまたは絶縁カバー取付け後面倒な防水処理などを施す必要があった。
【０００６】
特許文献２の開示技術では、
１）電線を引留める構成要素は全面的に弾性被覆した金属線の巻付け力に依存しており、この巻付け力が変動すると安定した引留め部を構成できないという構造上の重大な問題がある。
２）巻付けグリップ取付け個所が塩汚損などを受けると、絶縁電線と巻付けグリップ間でドライバンドアークによるトラッキングにより、巻付けグリップのゴムまたはプラスチックの絶縁材が炭化して、把持力を喪失する懸念がある。
【０００７】
３）電線の温度上昇に対して、金属線の周囲に被覆したゴムまたはプラスチック被覆層は金属に比して熱膨張が大きくその把持力が変動しやすいという問題がある。さらに、金属線の巻付けによる締付け力により弾性被覆層がクリープ変形して把持力は一層変動するという問題がある。
４）ゴムまたはプラスチック被覆層は金属に比して熱伝導率が悪く、したがって熱の放熱特性も悪化するから内部の被覆層が熱劣化を生じやすい。
５）ゴムまたはプラスチック被覆層は紫外線やオゾンなどの劣化を生じやすく、また、飛来物の衝突などによって傷つきやすく長期的に安定した引留力を期待できない。
【０００８】
本発明は、上述したような従来の架空絶縁電線の引留め部の問題点に鑑みなされたものであって、絶縁電線の絶縁被覆を剥離することなく電線引留め部を形成でき、充電部を形成することがなく、絶縁カバーなどは簡単な構造のものとでき、経済性に優れ、しかも施工性に優れた架空絶縁配電線における引留構造を提供することを目的とする。
【課題を解決するための手段】
【０００９】
上述の課題を解決するために、本発明による架空絶縁配電線における引留構造は、次のような手段を用いる。
（１）楔型引留クランプによって架空絶縁電線を碍子等の支持物に引き留める引留め部において、前記絶縁電線の外周に予め螺旋状に成型されたプレフォームドアーマーロッドを巻回し、前記プレフォームドアーマーロッド上に楔形楔型引留めクランプを取付けて前記支持物に引き留めると共に、前記引留め部を構成する金属露出部分全体を絶縁カバーで覆ったことを特徴とする架空絶縁配電線の引留構造である。
【００１０】
（２）(１)の架空絶縁電線の引留構造において、絶縁電線の外周に巻回されるプレフォームドアーマーロッドは２〜４ｍｍの亜鉛めっき鋼線またはアルミ覆鋼線からなり、且つ、楔形クランプの楔部長さと同等以上の長さに形成したことを特徴とする架空絶縁電線の引留構造である。
【００１１】
（３）(１)または(２)の架空絶縁電線の引留構造において、前記絶縁電線の外周に巻回されるプレフォームドアーマーロッドの取付け個所に、前記プレフォームドアーマーロッドと同等以上の長さの絶縁体を介在させたことを特徴とする架空絶縁電線の引留構造である。
（４）(１)〜(３)いずれかの架空絶縁電線の引留構造において、前記プレフォームドアーマーロッドの端部に接して水切り笠を備えたことを特徴とする架空絶縁配電線の引留構造である。
【００１２】
（５）(４)の架空絶縁電線の引留構造において、前記絶縁カバーと一体的に設けてなる水切り笠付き絶縁カバーを、引留め部に被着したことを特徴とする架空絶縁電線の引留構造である。
（６）(１)の架空絶縁電線の引留構造において、前記絶縁カバーの全部または一部を透明な絶縁性樹脂または強化ガラスで構成したことを特徴とする架空絶縁電線の引留構造である。
【発明の効果】
【００１３】
本発明による架空絶縁電線の引留構造によれば、絶縁電線の絶縁被覆を剥離することなく電線引留め部を形成でき、充電部を形成することがなく、絶縁カバーなどは簡単な構造のものとでき、経済性に優れ、しかも施工性に優れた架空絶縁電線における引留構造を提供することができる。
【発明を実施するための最良の形態】
【００１４】
以下、図面により、本発明による架空絶縁電線(配電線)の引留構造の実施形態について詳細に説明する。
図１は、本発明による架空絶縁配電線の引留め部構造の一実施形態を示す側面図である。図中の１０は楔型引留めクランプであり、次の構成部品からなるものである。すなわち，クランプ本体１は断面略Ｕ字対称形で内部に電線を挿通する円弧状に形成され、２は本体電線溝と協働して絶縁電線１３を挟持するための楔体である。Ｌは前記楔体２の楔部の長さである。１と２とで略円形の空洞部を形成して絶縁電線１３を把持する構成である。３は絶縁電線１３を架線する際に緊線工具などを係止する為の係止孔である。
【００１５】
４は割りピンであり、楔体２にクランプ本体１を装着して絶縁電線１３を楔型引留めクランプで把持した後、バックテンションなどが作用してクランプ本体が楔体から外れるのを防止する為に装着するものである。５は楔体の後方に一体的に形成されている円筒状の圧着部であり、該圧着部に連結ロッド６を挿入して圧着固定してある。
７は連結ロッドの他端側に可動的に連結されているＵクレビス、８はコッターボルト、９は割りピンである。１２は水切り笠であり、プレフォームドアーマーロッド１１の端末部に接して絶縁電線の外周に取付けてある。
【００１６】
水切り笠１２の目的は、楔型引留クランプ取付け個所でのトラッキング劣化を防止するために取付けるものである。
即ち、塩などを含んだ汚損水が電線を伝って、プレフォームドアーマーロッド上に取付けた楔型引留クランプ部に流入して導電性を帯びると、絶縁電線と楔型引留クランプ間に導電経路が形成される。そして、絶縁材表面を洩れ電流が流れると電気の一部が熱（ジュール熱）となり、やがて水分が蒸発し乾燥すると導電経路が遮断される。
【００１７】
次に、その部分に電界が集中して”放電”が開始され、この放電が絶縁材表面で何回も繰り返されると、絶縁材が有機物であるためその部分が熱により劣化し、絶縁材が炭化する所謂トラッキングが生じて、楔型引留クランプ取付け個所で絶縁性能を喪失するという不具合を生じ、水切り笠１２の取り付けはこれを防止することにある。
水切り笠１２の材質としては、シリコンゴム、変成シリコンゴム、エチレンプロピレンゴム、その他の耐トラッキング性に優れた有機絶縁材料を使用することが出来る。
【００１８】
以上の構成からなる本発明による架空絶縁配電線の引留構造において、楔型引留クランプ１０は碍子装置１４に連結され、引留柱などの支持材１５に引き留められる。破線で示した１６は絶縁カバーであり、水切り笠１２の基部と引留め側碍子の一部を覆うように、引留め部の金属露出部全体を覆うように取付けられる。
【００１９】
なお、水切り笠１２は絶縁カバー１６と一体的に設けても良い。この場合、絶縁カバーの構成材料と水切り笠の材料とが異なっていても良く、ホットステックアームなどで取付けできるように、水切り笠部の一端は切開されて開閉できる構造とされていることが望ましい。また、水切り笠部の開閉縁部には予めシーリング剤などを塗布しておき、閉じた状態で暫くするとシーリング剤が硬化して、雨水が笠部の合わせ目から絶縁カバー内部に流入を遮断する構造とする事が好ましい。
【００２０】
前記の絶縁カバーを架空絶縁配電線の引留め部に被着すると、内部を点検するためには絶縁カバーを外さないと出来ないため、メンテナンス性が著しく悪化していた。本発明ではこの不都合を解消するために、絶縁カバーの全部または一部を透明な絶縁性樹脂または強化ガラスで構成したことを特徴とする架空絶縁配電線の引留構造としたものである。
【００２１】
本発明の第１のポイントは、架空絶縁配電線の引留め部において、楔型引留クランプを取り付ける個所の絶縁電線の被覆を剥離することなく、前記絶縁電線の外周に予め螺旋状に成型されたプレフォームドアーマーロッド１１を巻回し、前記プレフォームドアーマーロッド上に楔型引留クランプ１０を取付けて、碍子装置１４などに連結して引留柱１５などに引き留めたことを特徴とする架空絶縁配電線の引留構造である。このため、楔型引留めクランプ１０の取付けに際しては、絶縁被覆の剥離作業などを省略できるから、工事が容易であるとともに、取付け後の絶縁カバーなどの構造も簡単なものでよくなるなどの利点がある。
【００２２】
本発明の第２のポイントは、絶縁配電線の引留め部において、絶縁電線の外周に巻回されるプレフォームドアーマーロッドは、２〜４ｍｍの亜鉛めっき鋼線またはアルミ覆鋼線からなり、且つ、楔形クランプの楔部長さよりも長く形成されていることを特徴とする架空絶縁配電線の引留構造である。プレフォームドアーマーロッドを以上の構成とすることにより、
１．剛性が適当で、巻付けやすく、被覆材に傷などを付けるおそれがない。
２．比較的細い線材とすることで、絶縁被覆電線外周に均等に楔型引留クランプの把持圧力を分散させることが出来るので、被覆材に局部的な変形を与えず、安定な把持力が得られる。などの利点がある。
【００２３】
なお、絶縁電線の外周に巻回されるプレフォームドアーマーロッド１１の巻付け長さＬｐは、１.５〜３ピッチ以上で十分である。また、より高い把持力が要求される場合には、楔体の長さＬｗを変えずに、プレフォームドアーマーロッド１１の巻付け長さＬｐを長くすることで対応することが出来る。
【００２４】
本発明の第３のポイントは、架空絶縁配電線の引留め部において、絶縁電線の外周に巻回されるプレフォームドアーマーロッドの取付け個所に、前記プレフォームドアーマーロッドと同等以上の長さの絶縁体を介在させたことを特徴とする架空絶縁配電線の引留構造である。即ち、図２の実施形態では、予め螺旋状に成形された塩ビ、ポリエチレン又はその他の絶縁材からなるカールテープ１７を巻きつけた上にプレフォームドアーマーロッド１１を巻きつけた例を示したが、二つ割りの絶縁カラーや円筒チューブ体の一方側を縦割りしたもの、その他の形状のものを使用しても良い。
【００２５】
以上のように構成すると、特に細い外径の絶縁電線を引留める場合、あるいは絶縁被覆厚さが薄い絶縁電線では、楔型引留クランプ１０を取り付けた際に絶縁被覆部が破れたりする懸念があるが、絶縁材をカールテープ等に成型したものを巻付けると絶縁厚さを任意に調整することが出来る他に、カールテープの電線巻付け面に増摩剤（コランダムパウダー、アランダムパウダー、カーボランダムパウダーなど）を塗布しておけば、一層強固な把持力を有する架空絶縁配電線の引留構造を構成できる。
【００２６】
また、カールテープ１６の巻付け方向とプレフォームドアーマーロッド１１の巻付け方向とは同一方向とすると、プレフォームドアーマーロッド１１の巻付け時にカールテープ１６が緩んだりする不具合をなくすことができる。なお、図２では水切り笠１２および絶縁カバー１６を省略して示している。
【００２７】
本発明の第４のポイントは、架空絶縁配電線の引留め部において、プレフォームドアーマーロッドの端部に接して水切り笠を備えたことを特徴とする架空絶縁配電線の引留構造である。この様な構造とすることにより、塩などを含んだ雨水が楔型引留クランプ取付け部に流入するのを阻止できるから、該取付け部でのトラッキング劣化を防止することが出来る。
【００２８】
本発明の第５のポイントは、架空絶縁配電線の引留め部において、水切り笠を絶縁カバーと一体化させることであり、これにより、活線状態でもホットステックアーム等で絶縁カバーを取付けが出来、一層施工性を向上させることが出来る。
【００２９】
本発明の第６のポイントは、本発明に使用される絶縁カバーまたは水切り笠付き絶縁カバーにおいて、カバーを外すことなく内部点検できるように、その全部または一部を透明な絶縁性樹脂または強化ガラスで構成したことであり、これにより、絶縁カバーを外すことなく内部が点検できるので、一層メンテナンス性を向上させた架空絶縁配電線の引留構造を形成できる。
【００３０】
上述のように、本発明の架空絶縁電線(配電線)の引留構造によれば、下記するような優れた効果を発揮する。
１）楔型引留めクランプ１０の取付けに際しては、絶縁被覆の剥離作業などを省略できるから、工事施工が容易であるとともに、取付け後の絶縁カバーなどの設置も簡単な構造のもので良くなり、大幅なコストダウンが可能である。
２）プレフォームドアーマーロッドを比較的細径な線材で構成することにより、巻付け性が良く且つ絶縁被覆材に傷など与えない。また、絶縁被覆材に均一な把持圧力を伝達でき、長期に亘り安定した把持力を維持することが出来る。
【００３１】
３）プレフォームドアーマーロッドと同等以上の長さの絶縁体を介在させて楔型引留クランプを取付けることにより、細い外径の絶縁電線あるいは絶縁被覆厚さが薄い電線でも安定した把持力を備えた架空絶縁配電線の引留構造を構成できる。
４）水切り笠を設けることにより、架空絶縁配電線の引留め部における絶縁被覆のトラッキング劣化を効果的に防止することが出来る。また、水切り笠を絶縁カバーと一体的に設けることにより活線での取付けを容易とすることが出来る。
５）絶縁カバーまたは水切り笠付き絶縁カバーにおいて、カバーを外すことなく内部点検できるように、カバーの全部または一部を透明な絶縁性樹脂、例えばアクリル樹脂または強化ガラスで構成したので、一層メンテナンス性を向上させた架空絶縁配電線の引留構造を形成できる。
【産業上の利用可能性】
【００３２】
以上の説明では、本発明による架空絶縁電線の引留構造において、アルミ絶縁電線の楔式楔型引留めクランプを用いた例について説明してきたが、本発明ではこれに限定されることはなく、図３および図４に示すように、他の構造の楔型引留めクランプも使用することが出来るものである。
【図面の簡単な説明】
【００３３】
【図１】本発明による架空絶縁配電線の引留構造の第１実施形態を示す側面図。
【図２】本発明による架空絶縁配電線の引留構造の第２実施形態を示す側面図。
【図３】本発明に使用される楔型引留クランプの他の構造例を示した説明図。
【図４】本発明に使用される楔型引留クランプのさらに他の構造例を示した説明図。
【符号の説明】
【００３４】
１    クランプ本体
２    楔体
３    係止孔
４    割りピン
５    圧着端子部
６    連結ロッド
７    Ｕクレビス
８    コッターボルト
９    割りピン
１０    楔式楔型引留めクランプ
１１    プレフォームドアーマーロッド（ＰＡＲ）
１２    水切り笠
１３    絶縁電線
１４    碍子装置
１５    支持材
１６    絶縁カバー
１７    絶縁材（カールテープ）
１８    高圧配電線用ＷＫ型楔式楔型引留めクランプ
１９    低圧配電線用ＬＣＡＬ型楔式楔型引留めクランプ
Ｌｐ    プレフォームドアーマーロッドの巻付け長さ
Ｌｗ    楔体の楔の長さ
【図１】
2007282428.tif 000003
【図２】
2007282428.tif 000004
【図３】
2007282428.tif 000005
【図４】
2007282428.tif 000006